(57)【要約】【課題】携帯型血液透析において、血液浄化器から老廃物や水分を除去するに適したポンプを提供する。【解決手段】除水ポンプ１１は、液体が流入可能な流入ポート２５を有する容器２１と、容器２１内に設けられており、気体が流出可能な気体ポート２７を有する気体室２４と、を具備する。気体室２４は、弾性変形可能なバルーン２２により区画されている。バルーン２２は、気体室２４が大気圧であるときの第１状態と、気体室２４が大気圧より陽圧にされることによって弾性変形して、気体室２４の容積が第１状態における気体室２４の容積より拡大し、且つ液体室２３の容積が第１状態における液体室２３の容積より減少した第２状態と、に変化する。【選択図】図２
2015213596.tif 000002
【特許請求の範囲】
【請求項１】
液体が流入可能な第１ポートを有しており、液体を貯留可能な容器と、
上記容器内に設けられており、気体が流出可能な第２ポートを有する気体室と、を具備しており、
上記気体室は、少なくとも一部の壁が弾性変形可能な弾性壁により区画されており、
上記弾性壁は、上記気体室が大気圧であるときの第１状態と、上記気体室が大気圧より陽圧にされることによって弾性変形して、上記気体室の容積が、上記第１状態における上記気体室の容積より拡大し、当該弾性変形によって、上記容器における液体が貯留可能な液体室の容積が、上記第１状態における当該液体室の容積より減少した第２状態と、に変化する携帯型血液透析用除水ポンプ。
【請求項２】
上記第２ポートを開閉する弁が更に設けられた請求項１に記載の携帯型血液透析用除水ポンプ。
【請求項３】
上記弁は、上記第２ポートから流出する気体の流量を制御可能なものである請求項２に記載の携帯型血液透析用除水ポンプ。
【請求項４】
上記容器は、上記液体室から液体が流出可能な第３ポートを有するものである請求項１から３のいずれかに記載の携帯型血液透析用除水ポンプ。
【請求項５】
上記弾性壁は、上記容器内に収容されたバルーン形状である請求項１から４のいずれかに記載の携帯型血液透析用除水ポンプ。
【請求項６】
上記弾性壁は、上記容器の内部空間を上記気体室と上記液体室とに区画する仕切りである請求項１から４のいずれかに記載の携帯型血液透析用除水ポンプ。
【請求項７】
液体が流入可能なポートを有しており、液体を貯留可能な容器と、
上記容器の内部空間を画定する壁であって、当該内部空間の容積を拡大する向きへ移動可能な可動壁と、
上記可動壁を上記拡大する向きへ移動した位置に保持する保持部と、
上記ポートを通じて上記内部空間へ流入する流体の流量を調節する流量調節機構と、を具備する携帯型血液透析用除水ポンプ。
【請求項８】
上記容器は、上記ポートが設けられた第１部材と、当該第１部材に対して移動可能な第２部材と、を有しており、当該第１部材及び当該第２部材によって上記内部空間が画定されており、
上記可動壁は、上記第２部材の壁である請求項７に記載の携帯型血液透析用除水ポンプ。
【請求項９】
上記保持部は、上記第１部材と上記第２部材とを係合する係合部材である請求項８に記載の携帯型血液透析用除水ポンプ。
【請求項１０】
上記可動壁は、上記容器の内部空間を少なくとも２室に区画する壁である請求項７に記載の携帯型血液透析用除水ポンプ。
【請求項１１】
上記保持部は、上記可動壁に設けられて上記容器の外部へ突出されたロッドと、当該ロッドを上記容器と係合させる係合部と、を有するものである請求項１０に記載の携帯型血液透析用除水ポンプ。
【発明の詳細な説明】
【技術分野】
【０００１】
本発明は、携帯型血液透析における除水に適したポンプに関する。
【背景技術】
【０００２】
腎不全に対する治療として血液透析が知られている。血液透析は、中空糸を有する血液浄化器に血液を通過させて濾過することにより、本来、腎臓で血液中から除去されるべき老廃物や水分を除去するものである。血液透析システムは、血液浄化器に血液を循環させる回路と、血液浄化器に透析液を循環させる回路と、を備えている。各回路にはポンプが設けられており、ポンプの駆動が制御されることによって、血液浄化器に循環させる血液や透析液の流速などが制御される。
【０００３】
一般的な血液透析システムは比較的大型であり、透析施設に装備されている。したがって、透析患者は、透析施設に出向いて血液透析を受ける。これに対して、透析施設以外の自宅や屋外などで血液透析が行える簡易な血液透析システムが考案されている（特許文献１）。例えば、血液透析システムが携帯可能となることによって、透析患者は、透析施設に出向くことなく血液透析を受けることができる。このような簡易な血液透析システムにおいて、前述されたポンプも小型化されている（特許文献２）。
【先行技術文献】
【特許文献】
【０００４】
【特許文献１】特表２０１１−５２８９４２号公報
【特許文献２】特表平１０−５０３４１３号公報
【発明の概要】
【発明が解決しようとする課題】
【０００５】
しかしながら、携帯用に小型化されたポンプであっても、電源やモータを有するために小型化や軽量化には限界がある。他方、血液浄化器において排出される老廃物や水分などを血液浄化器から一定範囲の流量で継続的に除去するためには、例えばシリンジのように小型かつ軽量であって透析患者が自ら操作可能なものであっても、一度の操作の間でのみ吸引力が生じるものは望ましくない。
【０００６】
本発明は、前述された事情に鑑みてなされたものであり、その目的は、携帯型血液透析において、血液浄化器から老廃物や水分を除去するに適したポンプを提供することにある。
【課題を解決するための手段】
【０００７】
(1)  本発明に係る携帯型血液透析用除水ポンプは、液体が流入可能な第１ポートを有しており、液体を貯留可能な容器と、上記容器内に設けられており、気体が流出可能な第２ポートを有する気体室と、を具備する。上記気体室は、少なくとも一部の壁が弾性変形可能な弾性壁により区画されている。上記弾性壁は、上記気体室が大気圧であるときの第１状態と、上記気体室が大気圧より陽圧にされることによって弾性変形して、上記気体室の容積が、上記第１状態における上記気体室の容積より拡大し、当該弾性変形によって、上記容器における液体が貯留可能な液体室の容積が、上記第１状態における当該液体室の容積より減少した第２状態と、に変化する。
【０００８】
携帯型血液透析用除水ポンプは、第１ポートが血液浄化器に接続されて用いられる。気体室に気体が圧入されることによって、弾性壁が第１状態から第２状態に変化する。第２状態の弾性壁は、弾性復帰により第１状態へ戻ろうとする。つまり、弾性壁の弾性復帰によって気体室の容積が減少する。これに伴い、第２ポートから気体室の気体が流出する。弾性壁の弾性力、及び第２ポートにおける流路抵抗によって、第２ポートを流通する気体の流速が決まるので、これらを調整することによって、第２状態の気体室から徐々に気体を流出させることができる。第２状態の気体室の容積が徐々に減少していくに比例して、液体室の容積が徐々に拡大していく。これにより、液体室が負圧となって血液浄化器から第１ポートを通じて液体室へ液体が流入する。
【０００９】
(2)  上記第２ポートを開閉する弁が更に設けられてもよい。
【００１０】
これにより、第２ポートを開閉するタイミング、すなわち携帯型血液透析用除水ポンプを駆動させるタイミングを制御できる。
【００１１】
(3)  上記弁は、上記第２ポートから流出する気体の流量を制御可能なものでもよい。
【００１２】
これにより、第１ポートから液体室へ液体が流入する流速を制御できる。
【００１３】
(4)  上記容器は、上記液体室から液体が流出可能な第３ポートを有するものでもよい。
【００１４】
これにより、液体室に貯留した液体を第３ポートから排出することができる。
【００１５】
(5)  上記弾性壁として、上記容器内に収容されたバルーン形状のものが挙げられる。
【００１６】
(6)  上記弾性壁として、上記容器の内部空間を上記気体室と上記液体室とに区画する仕切りが挙げられる。
【００１７】
(7)  本発明に係る携帯型血液透析用除水ポンプは、液体が流入可能なポートを有しており、液体を貯留可能な容器と、上記容器の内部空間を画定する壁であって、当該内部空間の容積を拡大する向きへ移動可能な可動壁と、上記可動壁を上記拡大する向きへ移動した位置に保持する保持部と、上記ポートを通じて上記内部空間へ流入する流体の流量を調節する流量調節機構と、を具備する。
【００１８】
携帯型血液透析用除水ポンプは、ポートが血液浄化器に接続されて用いられる。可動壁が容器の内部空間を拡大する向き移動されて、保持部によって保持されると、容器の内部空間が減圧状態となる。減圧状態の容器にポートが流量調整機構により所望の流体の流量で開放されると、血液浄化器からポートを通じて容器の内部空間へ液体が流入する。
【００１９】
(8)  上記容器は、上記ポートが設けられた第１部材と、当該第１部材に対して移動可能な第２部材と、を有しており、当該第１部材及び当該第２部材によって上記内部空間が画定されており、上記可動壁は、上記第２部材の壁であってもよい。
【００２０】
(9)  上記保持部は、上記第１部材と上記第２部材とを係合する係合部材であってもよい。
【００２１】
(10)  上記可動壁は、上記容器の内部空間を少なくとも２室に区画する壁であってもよい。
【００２２】
(11)  上記保持部は、上記可動壁に設けられて上記容器の外部へ突出されたロッドと、当該ロッドを上記容器と係合させる係合部と、を有するものであってもよい。
【発明の効果】
【００２３】
本発明によれば、携帯型血液透析において、血液浄化器から老廃物や水分を除去するに適した小型かつ軽量のポンプが実現される。
【図面の簡単な説明】
【００２４】
【図１】図１は、第１実施形態に係る血液透析システム１０を示す模式図である。
【図２】図２は、第２状態の除水ポンプ１１を示す断面図である。
【図３】図３は、第１状態の除水ポンプ１１を示す断面図である。
【図４】図４は、変形例における第２状態の除水ポンプ１１を示す断面図である。
【図５】図５は、変形例における第１状態の除水ポンプ１１を示す断面図である。
【図６】図６は、第２実施形態の除水ポンプ４１であって、内部空間４５の容積が最小な状態を示す断面図である。
【図７】図７は、第２実施形態の除水ポンプ４１であって、内部空間４５の容積が最大な状態を示す断面図である。
【図８】図８は、第３実施形態の除水ポンプ４１であって、内部空間４５の容積が最小な状態を示す断面図である。
【図９】図９は、第３実施形態の除水ポンプ４１であって、内部空間４５の容積が最大な状態を示す断面図である。
【発明を実施するための形態】
【００２５】
以下、本発明の好ましい実施形態を説明する。なお、本実施形態は本発明の一実施態様にすぎず、本発明の要旨を変更しない範囲で実施態様を変更できることは言うまでもない。
【００２６】
［第１実施形態］
第１実施形態に係る携帯型血液透析用の除水ポンプ１１は、以下に説明される携帯型の血液透析システム１０において用いられる。なお、血液透析システム１０は、除水ポンプ１１が用いられる血液透析システムの一例であり、除水ポンプ１１が、血液透析システム１０にのみ用いられるものでないことは言うまでもない。また、携帯型とは、人が持ち運ぶことが可能であるという意味であり、必ずしも外出のときに携帯される必要はなく、在宅で使用されるものも含む意味である。
【００２７】
［血液透析システム１０］
図１に示されるように、血液透析システム１０は、血液浄化器１２と、血液浄化器１２に接続された血液回路１３と、血液回路１３において血液浄化器１２より血液の流れの上流側に設けられたポンプ１４と、血液浄化器１２に接続された廃液回路１５と、廃液回路１５に接続された除水ポンプ１１及び廃液バッグ１６と、を具備する。
【００２８】
血液回路１３は、患者の血液を血液浄化器１２に導き、また、血液浄化器１２から患者へ血液を戻すための回路であり、主として血液の流路となるチューブなどから構成されている。血液浄化器１２は、密閉容器に中空糸の束が封入されたものであり、血液回路１３を通じて流入する血液が中空糸を流れることにより、血液中の老廃物が中空糸の外へ排出され、老廃物が除去されて浄化された血液が血液回路１３へ流出する。血液浄化器１２及び血液回路１３における血液の循環（流れ）は、ポンプ１４により生じる。各図には示されていないが、ポンプ１４は、携帯用のバッテリなどの駆動源より電力が供給され、携帯用の制御装置によって駆動が制御される。
【００２９】
血液浄化器１２において、透析開始時には中空糸の外側は何も液体が満たされていない状態にある。中空糸の外側の空間は、ポートを通じて廃液回路１５に連通されている。血液中の水分と共に中空糸の外側へ排出された老廃物は、血液浄化器１２から廃液回路１５へ流出可能である。廃液回路１５には、除水ポンプ１１が接続されており、除水ポンプ１１による吸引力によって、血液浄化器１２から廃液回路１５を通じて除水ポンプ１１へ老廃物が排出される。また、除水ポンプ１１から廃液バッグ１６へ老廃物が排出される。除水ポンプ１１の詳細な構成は後述される。
【００３０】
［除水ポンプ１１］
除水ポンプ１１は、液体を貯留可能な容器２１の内部空間に、弾性変形可能なバルーン２２が収容されたものである。容器２１により液体室２３が区画され、バルーン２２により気体室２４が区画される。
【００３１】
容器２１は、合成樹脂の成型品などであり、ディスポーザブルであってもなくてもよい。容器２１の形状は特に限定されないが、バルーン２２の伸縮による圧力変化に耐える程度の耐圧性能が要求される。容器２１の容量も特に限定されないが、血液透析システム１０として外出のときに携帯されることを考慮すると、１時間当たりに３００ｍＬが血液浄化器１２から吸引されるとして、必要な時間分の容量があることが望ましい。但し、除水ポンプ１１は、廃液とバルーン２２の拡張のための操作を繰り返すことが可能なので、この操作を繰り返して行うのであれば、容器２１は、例えば３００ｍＬ未満の容量であってもよい。
【００３２】
容器２１には、老廃物が流入可能な流入ポート２５（第１ポート）と、老廃物が流出可能な流出ポート２６（第３ポート）と、バルーン２２が接続されており、気体が流通可能な気体ポート２７と、が設けられている。流入ポート２５、流出ポート２６、及び気体ポート２７は、それぞれに設けられた弁２８，２９，３０によって開閉可能である。
【００３３】
流入ポート２５及び流出ポート２６は、容器２１の同じ側の壁に設けられている。気体ポート２７は、流入ポート２５及び流出ポート２６が設けられた壁と対向する壁に設けられている。流入ポート２５及び流出ポート２６は、液体室２３にそれぞれ開口している。気体ポート２７は、液体室２３には開口せずに、容器２１内においてバルーン２２が直接に接続されて、バルーン２２の内部空間である気体室２４に開口している。流入ポート２５は、廃液回路１５を通じて血液浄化器１２と接続される。流出ポート２６は、廃液回路１５を通じて廃液バッグ１６と接続される。
【００３４】
バルーン２２は、弾性変形可能なゴムなどの素材から形成されており、気体室２４に気体が圧入されることによって拡張する。つまり、気体室２４の容積が拡大するように弾性変形する。拡張されたバルーン２２には弾性的な復元力が作用しており、気体ポート２７が開かれているときに、バルーン２２に圧入された空気などが気体ポート２７から外部へ排出されつつバルーン２２が収縮する。弁３０は、開口度合いを調整可能であり、開口度合いが調整されることによって、気体ポート２７から流出する気体の流量が制御可能である。バルーン２２が弾性壁に相当する。なお、図２では、拡張された状態のバルーン２２が示されている。
【００３５】
［除水ポンプ１１の使用方法］
図１に示されるように、除水ポンプ１１が血液透析システム１０として使用されるときには、血液透析が行われる前に、弁３０が開けられ、気体ポート２７に、シリンジやポンプなどの気体室２４へ空気を圧入できる装置が接続される。そして、気体ポート２７を通じてバルーン２２の気体室２４に空気が圧入されることにより、図２に示されるように、バルーン２２が拡張状態（第２状態）となる。バルーン２２が拡張された後、弁３０が閉じられ、気体ポート２７からシリンジなどが取り外される。この状態において、気体室２４の圧力は大気圧より高い。
【００３６】
血液透析が開始されるときに、弁３０が所望の開口度合いで開かれる。弁３０の開口度合いによって、バルーン２２が収縮する度合い、すなわち気体ポート２７から気体が流出する速度が調整される。バルーン２２が収縮する度合いは、容器２１の液体室２３に流入ポート２５を通じて血液浄化器１２から老廃物を吸引する速度に関係する。また、血液回路１３を通じて血液浄化器１２と接続されている流入ポート２５の弁２８は開けられ、廃液バッグ１６と接続されている流出ポート２６の弁２９は閉じられる。
【００３７】
バルーン２２が弾性的に復元する力によって、気体ポート２７から気体室２４の空気が流出し、空気の流出に伴ってバルーン２２が収縮して気体室２４の容積が減少する。バルーン２２が収縮することにより、容器２１の液体室２３の容積が増加するので、流入ポート２５に吸引圧が生じる。この吸引圧によって、血液浄化器１２から廃液回路１５を通じて老廃物が容器２１へ吸引される。
【００３８】
図３に示されるように、気体室２４が大気圧又はそれに近い圧力になると、バルーン２２が完全に復元した状態（第１状態）又はそれに近い状態になる。気体室２４の容積の減少が終了し、容器２１の流入ポート２５には吸引圧が生じなくなると、患者は、流入ポート２５の弁２８を閉じて、流出ポート２６の弁２９を開き、容器２１の液体室２３から廃液バッグ１６へ老廃物を移す。廃液バッグは可撓性のシートから構成されているので、例えば、容器２１を廃液バッグ１６より上方へ位置させ、重力によって液体室２３から廃液バッグ１６へ老廃物を移動させることができる。
【００３９】
血液透析を引き続いて行うときには、流入ポート２５の弁２８は開けられ、流出ポート２６の弁２９は閉じられる。そして、気体ポート２７の弁３０が開けられ、シリンジなどが接続される。そして、気体ポート２７を通じてバルーン２２の気体室２４に空気が圧入されることにより、図２に示されるように、バルーン２２が拡張状態となる。バルーン２２が拡張された後、弁３０が閉じられ、気体ポート２７からシリンジなどが取り外される。これにより、前述と同様にして血液透析を引き続いて行うことができる。
【００４０】
［第１実施形態の作用効果］
第１実施形態によれば、携帯型の血液透析システム１０において、血液浄化器１２から老廃物や水分を除去するに適した小型かつ軽量の除水ポンプ１１が実現される。
【００４１】
また、除水ポンプ１１の気体ポート２７に弁３０が設けられているので、気体ポート２７を開閉するタイミング、すなわち除水ポンプ１１を駆動させるタイミングを制御できる。
【００４２】
また、弁３０は、気体ポート２７から流出する気体の流量を制御可能なので、流入ポート２５から液体室２３へ液体が流入する流速を制御できる。
【００４３】
また、容器２１が流出ポート２６を有するので、液体室２３に貯留した老廃物を流出ポート２６から排出することができる。
【００４４】
［第１実施形態の変形例］
前述された第１実施形態では、容器２１にバルーン２２が収容されて液体室２３と気体室２４とが形成されていたが、図４に示されるように、バルーン２２が設けられることなく、容器２１の内部空間を流入ポート２５及び流出ポート２６側と気体ポート２７側とに区画する弾性変形可能な仕切り壁３１（弾性壁に相当する。）が設けられてもよい。この仕切り壁３１は、液体室２３及び気体室２４の圧力が均等であれば、図５に示されるように、流入ポート２５及び流出ポート２６側にも気体ポート２７側にも膨らんでいない状態（第１状態）になる。
【００４５】
仕切り壁３１によって容器２１の内部空間は、２つに区画されて、流入ポート２５及び流出ポート２６側が液体室２３となり、気体ポート２７側が気体室２４となる。図４に示されるように、気体ポート２７を通じて気体室２４に気体が圧入されることによって、仕切り壁３１が流入ポート２５側へ膨らむように弾性変形した状態（第２状態）となる。これにより、気体室２４の容積が増加し、液体室２３の容積が減少する。このとき、気体室２４の圧力は、大気圧より高い。
【００４６】
弾性変形した仕切り壁３１には弾性的な復元力が作用しており、気体ポート２７が開かれているときに、気体ポート２７から気体室２４の空気が流出し、空気の流出に伴って仕切り壁３１の膨らみが小さきなって気体室２４の容積が減少する。仕切り壁３１の復元によって液体室２３の容積が増加するので、流入ポート２５に吸引圧が生じる。このような変形例においても、前述された実施形態と同様の作用効果が奏される。
【００４７】
なお、仕切り壁３１の位置は、液体室２３の容量などを考慮して適宜変更可能であることは言うまでもない。
【００４８】
また、バルーン２２や仕切り壁３１は、必ずしも全てが弾性変形可能である必要はなく、気体室２４の容積を増減できる程度に弾性変形する部分が一部に設けられており、その他の部分は弾性変形しないものであってもよい。
【００４９】
また、前述された第１実施形態では、容器２１に流入ポート２５及び流出ポート２６が設けられているが、例えば、流出ポート２６が省略されて、流入ポート２５に三方活栓が設けられることによって、容器２１へ液体が流入するポートと、容器２１から液体が流出するポートが１つのポートとして兼用されてもよい。また、流入ポート２５に、容器２１に流入する液体の流量を調整する弁などが流量調整機構として設けられてもよい。
【００５０】
［第２実施形態］
第２実施形態に係る携帯型血液透析用の除水ポンプ４１は、前述された携帯型の血液透析システム１０において用いられる。
【００５１】
［除水ポンプ４１］
図６に示されるように、除水ポンプ４１は、液体を貯留可能な容器４２に、液体が流入可能な流入ポート４３及び液体が流出可能な流出ポート４４が設けられたものである。流入ポート４３及び流出ポート４４は、それぞれに設けられた弁４６，４７によって開閉可能である。弁４６（流量調整機構）は、流入ポート４３を通じて内部空間４５へ流入する流体の流量を調節可能なものである。
【００５２】
容器４２は、合成樹脂の成型品などであり、ディスポーザブルであってもなくてもよい。容器４２の形状は特に限定されないが、内部空間４５が拡大されたときの圧力変化に耐える程度の耐圧性能が要求される。容器４２の容量も特に限定されないが、血液透析システム１０として外出のときに携帯されることを考慮すると、１時間当たりに３００ｍＬが血液浄化器１２から吸引されるとして、必要な時間分の容量があることが望ましい。但し、除水ポンプ４１は、廃液と内部空間４５の容積を拡張する操作を繰り返すことが可能なので、この操作を繰り返して行うのであれば、容器４２は、例えば３００ｍＬ未満の容量であってもよい。
【００５３】
容器４２は、両端が閉じられた円筒形状であり、流入ポート２５及び流出ポート２６側の第１部材４８と、第１部材４８に対してスライド可能な第２部材４９（可動壁の一例）と、を有する。第１部材４８及び第２部材４９は、それぞれが一端側が開口した円筒形状である。第１部材４８及び第２部材４９の各開口端側の周壁が相互に重なるように接合されて、容器４２が構成される。
【００５４】
第１部材４８及び第２部材４９が容器４２として組み合わされた状態において、第１部材４８及び第２部材４９の内壁によって内部空間４５が画定される。第１部材４８及び第２部材４９が組み合わされた状態において、第１部材４８と第２部材４９との接合部分は液密状態である。つまり、容器４２の内部空間４５は、液密状態である。
【００５５】
第２部材４９は、円筒形状の容器４２の軸線方向（図６における左右方向）に沿って、内部空間４５の容積を拡大する向き（図６における右向き）へ第１部材４８に対して移動可能である。第２部材４９が第１部材４８に対して移動する過程においても、第１部材４８と第２部材４９との接合部分は液密状態に維持されている。
【００５６】
第２部材４９が第１部材４８に対して外側に最も引き出された状態、つまり、内部空間４５の容積が最も大きい状態において、第２部材４９の周壁が第１部材４８の周壁と係合する。この係合は、図７に示されるように、第２部材４９の周壁の内面から突出する凸片５０が、第１部材４８の周壁の外面に形成された凹溝５１に進入することにより成立する。凸片５０及び凹溝５１（保持部、係合部材の一例）は、容器４２の軸線方向と直交する方向へ延びているので、凸片５０及び凹溝５１が係合すると、第２部材４９は第１部材４８に対して軸線方向へ移動することが規制される。この規制は、減圧状態の内部空間４５の負圧に抗して第２部材４９が第１部材４８に対して最大限引き出された状態に維持できればよく、人の操作によって凸片５０及び凹溝５１の係合状態は解除可能に構成されている。
【００５７】
［除水ポンプ４１の使用方法］
除水ポンプ４１が血液透析システム１０として使用されるときには、血液透析が行われる前に、第２部材４９が、第１部材４８に対して軸線方向へ最も近づいた位置（図６参照）、すなわち内部空間４５の容積が最小となる位置にされて、その状態において弁４６，４７が閉じられる。
【００５８】
弁４６，４７が閉じられた後、第２部材４９が第１部材４８に対して内部空間４５の容積が拡大する向きへ移動され、凸片５０が凹溝５１に係合されて、内部空間４５の容積が最も拡大された状態に第２部材４９が保持される（図７参照）。この状態において、内部空間４５の圧力は大気圧より低い。
【００５９】
血液透析が開始されるときに、流入ポート４３の弁４６が所望の開口度合いで開かれる。弁４６の開口度合いによって、流入ポート４３から容器４２の内部空間４５への液体の流量が調節調整される。そして、負圧状態の内部空間４５による吸引圧によって、血液浄化器１２から廃液回路１５を通じて老廃物が容器４２へ吸引される。
【００６０】
容器４２に老廃物が流入して内部空間４５が大気圧又はそれに近い圧力になると、内部空間４５への老廃物の吸引が終了する。除水ポンプ４１が老廃物を吸引しなくなると、患者は、流入ポート４３の弁４６を閉じて、流出ポート４４の弁４７を開き、第２部材４９を、第１部材４８に対して内部空間４５の容積が最小となる位置に移動して、容器４２の内部空間４５から廃液バッグ１６へ老廃物を移す。
【００６１】
血液透析を引き続いて行うときには、弁４６，４７は閉じられる。その後、前述された操作が繰り返されることによって、前述と同様にして血液透析を引き続いて行うことができる。
【００６２】
［第２実施形態の作用効果］
第２実施形態によれば、携帯型の血液透析システム１０において、血液浄化器１２から老廃物や水分を除去するに適した小型かつ軽量の除水ポンプ４１が実現される。
【００６３】
また、除水ポンプ４１の流入ポート４３に弁４６が設けられているので、除水ポンプ４１を駆動させるタイミングが制御でき、また、流入ポート４３から容器４１の内部空間４５への液体の流量が制御できる。
【００６４】
また、容器４１が流出ポート４４を有するので、内部空間４５に貯留した老廃物を流出ポート４４から排出することができる。
【００６５】
［第３実施形態］
第３実施形態に係る携帯型血液透析用の除水ポンプ４１は、前述された携帯型の血液透析システム１０において用いられる。
【００６６】
［除水ポンプ６１］
図８に示されるように、除水ポンプ６１は、液体を貯留可能な容器６２に、液体が流入可能な流入ポート６３及び液体が流出可能な流出ポート６４が設けられたものである。流入ポート６３及び流出ポート６４は、それぞれに設けられた弁６６，６７によって開閉可能である。弁６６（流量調整機構）は、流入ポート６３を通じて液体室６８へ流入する流体の流量を調節可能なものである。
【００６７】
容器６２は、合成樹脂の成型品などであり、ディスポーザブルであってもなくてもよい。容器６２の形状は特に限定されないが、液体室６８が拡大されたときの圧力変化に耐える程度の耐圧性能が要求される。容器６２の容量も特に限定されないが、血液透析システム１０として外出のときに携帯されることを考慮すると、１時間当たりに３００ｍＬが血液浄化器１２から吸引されるとして、必要な時間分の容量があることが望ましい。但し、除水ポンプ６１は、廃液と液体室６８を拡張する操作を繰り返すことが可能なので、この操作を繰り返して行うのであれば、容器６２は、例えば３００ｍＬ未満の容量であってもよい。
【００６８】
容器６２の内部空間６５には、内部空間６５を流入ポート６３及び流出ポート６４側の液体室６８（内部空間の一例）と、軸線方向の反対側となる気体室６９側に区画する可動壁７０が設けられている。可動壁７０が液体室６８を液密状態とすべく容器６２の内壁に液密に接合されている。
【００６９】
可動壁７０は、円筒形状の容器６２の軸線方向（図８における左右方向）に沿って、液体室６８の容積を拡大する向き（図８における右向き）へ内部空間６５を移動可能である。可動壁７０の移動過程においても、液体室６８は液密状態に維持される。なお、気体室６９は気密状態ではなく、外部の大気と連通された状態にある。
【００７０】
可動壁７０には、気体室６９側へ向かって容器６２の軸線方向に沿って突出するロッド７１が接続されている。ロッド７１の外周には雄ネジが形成されている。容器６２の気体室６９側の壁には、ロッド７１が螺合されるネジ穴７２が形成されている。ネジ穴７２に螺合されたロッド７１は、容器６２の外部へ突出している。ロッド７１の突出端にはハンドル７３が設けられている。ロッド７１の雄ネジとネジ穴７２により係合部が形成されている。
【００７１】
［除水ポンプ６１の使用方法］
除水ポンプ６１が血液透析システム１０として使用されるときには、血液透析が行われる前に、ハンドル７３が操作されてネジ穴７２に対してロッド７１がねじ込まれることにより、可動壁７０が内部空間６５において流入ポート６３に最も近づいた位置（図８参照）、すなわち液体室６８の容積が最小となる位置にされて、その状態において弁６６，６７が閉じられる。
【００７２】
弁６６，６７が閉じられた後、ハンドル７３が操作されてネジ穴７２に対してロッド７１が引き出されることにより、可動壁７０が液体室６８の容積が拡大する向きへ移動される。可動壁７０は、ロッド７１とネジ穴７２との螺合により、移動された位置に保持される（図９参照）。これにより、液体室６８の容積が最大となり、液体室６８の圧力は大気圧より低くなる。
【００７３】
血液透析が開始されるときに、流入ポート６３の弁６６が所望の開口度合いで開かれる。弁６６の開口度合いによって、流入ポート６３から容器６２の液体室６８への液体の流量が調節調整される。そして、負圧状態の液体室６８による吸引圧によって、血液浄化器１２から廃液回路１５を通じて老廃物が容器６２の液体室６８へ吸引される。
【００７４】
液体室６８に老廃物が流入して、液体室６８が大気圧又はそれに近い圧力になると、液体室６８への老廃物の吸引が終了する。除水ポンプ６１が老廃物を吸引しなくなると、患者は、流入ポート６３の弁６６を閉じて、流出ポート６４の弁６７を開き、可動壁７０を内部空間６５の容積が最小となる位置に移動して、容器６２の液体室６８から廃液バッグ１６へ老廃物を移す。
【００７５】
血液透析を引き続いて行うときには、弁６６，６７が閉じられる。その後、前述された操作が繰り返されることによって、前述と同様にして血液透析を引き続いて行うことができる。
【００７６】
［第３実施形態の作用効果］
第３実施形態によれば、携帯型の血液透析システム１０において、血液浄化器１２から老廃物や水分を除去するに適した小型かつ軽量の除水ポンプ６１が実現される。
【００７７】
また、除水ポンプ６１の流入ポート６３に弁６６が設けられているので、除水ポンプ６１を駆動させるタイミングが制御でき、また、流入ポート６３から容器６１の液体室６８への液体の流量が制御できる。
【００７８】
また、容器６１が流出ポート６４を有するので、液体室６８に貯留した老廃物を流出ポート６４から排出することができる。
【００７９】
［第２実施形態及び第３実施形態の変形例］
なお、前述された第２実施形態及び第３実施形態では、容器４２，６２に流入ポート４３，６３及び流出ポート４４，６４がそれぞれ設けられているが、例えば、流出ポート４４，６４が省略されて、流入ポート４３，６３に三方活栓が設けられることによって、容器４２，６２へ液体が流入するポートと、容器４２，６２から液体が流出するポートが１つのポートとして兼用されてもよい。
【００８０】
また、前述された第３実施形態では、ロッド７１の外周に雄ネジが設けられて、容器６２のネジ穴７２と螺合されているが、ロッド７１に雄ネジが設けられることなく、可動壁７０が液体室６８の容積を最大にした位置において、凸部や係合爪などによって容器６２に形成された孔の周囲とロッド７１とが係合するように構成されてもよい。
【符号の説明】
【００８１】
１１，４１，６１  除水ポンプ
２１，４２，６２  容器
２２  バルーン（弾性壁）
２３  液体室
２４  気体室
２５，４３，６３  流入ポート（第１ポート）
２６，４４，６４  流出ポート（第３ポート）
２７  気体ポート（第２ポート）
２８，２９，３０  弁
３１  仕切り壁（弾性壁）
４５  内部空間
４６  弁（流量調整機構）
４６  第１部材
４９  第２部材（可動壁）
５０  凸片（係合部材、保持部）
５１  凹溝（係合部材、保持部）
６６  弁（流量調整機構）
６８  液体室（内部空間）
７０  可動壁
７１  ロッド（保持部）
７２  ネジ穴（係合部、保持部）
【図１】
2015213596.tif 000003
【図２】
2015213596.tif 000004
【図３】
2015213596.tif 000005
【図４】
2015213596.tif 000006
【図５】
2015213596.tif 000007
【図６】
2015213596.tif 000008
【図７】
2015213596.tif 000009
【図８】
2015213596.tif 000010
【図９】
2015213596.tif 000011